(57)【特許請求の範囲】
【請求項１】
カバー材と複数の本紙紙片からなる本紙を有するＩＣ付冊子体であって、
該冊子体はアンテナシートを含み、
該アンテナシートが本紙紙片の一部であり、かつ、
アンテナ基材と、アンテナ基材の一方の面に形成されたアンテナと、該アンテナに接続されたＩＣモジュールとを有し、
該アンテナ基材のアンテナが形成されている側の面上に上部外装基材、もう一方の面上に下部外装基材を有してなり、
該アンテナ基材の一方の面に同一材料からなる金属薄膜をエッチングによりパターニングされたアンテナと機能層が形成されてなり、
該機能層が検証フィルタまたは偏光子であり、
該本紙紙片のアンテナシートの下部外装基材側と隣り合う本紙紙片が印刷潜像または偏光潜像を有し、
該下部外装基材が、該アンテナ基材に形成されたアンテナの一部と機能層に対応する領域及び該隣り合う本紙紙片が該アンテナ基材に形成された印刷潜像または偏光潜像に対応する領域を除き隠蔽性であることを特徴とするＩＣ付冊子体。
【請求項２】
前記機能層が、検証フィルタであることを特徴とする請求項１記載のＩＣ付冊子体。
【請求項３】
前記上部外装基材が、透明基材と隠蔽性印刷層を有し、隠蔽性印刷層はアンテナ基材に形成されたアンテナの一部と機能層に対応する領域を除き全面に形成されていることを特徴とする請求項１または２に記載のＩＣ付冊子体。
【請求項４】
前記機能層が、部分的に隠蔽されていることを特徴とする請求項１〜３のいずれかに記載のＩＣ付冊子体。
【請求項５】
前記下部外装基材が、透明基材と隠蔽性印刷層からなり、隠蔽性印刷層は隣り合う本紙紙片が該アンテナ基材に形成された印刷潜像または偏光潜像に対応する領域を除き全面に形成されていることを特徴とする請求項１〜４のいずれかに記載のＩＣ付冊子体。
【請求項６】
前記アンテナシートがカバー材に隣り合う本紙紙片の一部であり、
前記カバー材のうち、隣り合う本紙紙片のアンテナシートに形成された機能層に対応する領域に開口部を有することを特徴とする請求項１〜５のいずれかに記載のＩＣ付冊子体。
【発明の詳細な説明】
【技術分野】
【０００１】
本発明は、非接触ＩＣ媒体等に用いるアンテナシートとそれを用いたＩＣ付冊子体に関する。特にパスポートやＩＤカードなど高いセキュリティが求められるものに関する。
【背景技術】
【０００２】
従来、非接触式ＩＣカードや、非接触でデータ通信のできる電子パスポートなどはＩＣチップとアンテナを有するインレットを外装基材などのシートで挟み込んだ構成となっており、インレットは外装基材などのシートやそこに設けた印刷層等で隠蔽されるためインレットは外部から視認できない構造であった。
そして、外装となる基材を透明化し、意図的にモジュール部分やインレット部分を露出させ、視認できるようにし、不正にインレットを交換するなど偽造を防ぐ技術もでてきている（特許文献１）。また特許文献１では、アンテナの一部を所定の情報を表現する形状にし、この部分を外部から視認可能とする技術についても開示されている。
【０００３】
前述の方法では、視認できる部分が、アンテナ、ＩＣチップ、などである。アンテナが視認できることによりアンテナの形成法や、巻き数、サイズなどのアンテナデザイン、モジュールとの接合などがわかるため、容易に模倣できる危険性がある。ＩＣチップも視認できれば同じものを簡単に用意することができる。また所定の情報を表現する形状となっているアンテナ部分についても視認できることにより、容易にそのような形状のアンテナを形成して偽造品とすりかえられる危険性がある。
このように、単純なパターンや容易に手に入るものが視認できると、形状をデッドコピーされやすく、ＩＣ内部の情報、暗号などが判読された場合、完全に同じもの製造され、逆にセキュリティが低くなる危険性がある。
【０００４】
また、非接触ＩＣ媒体の不正防止という点では、非接触ＩＣ媒体の表面にホログラムシール等のセキュリティ加工を施す方法も知られているが、この方法ではホログラムシール等の部材を剥がし、非接触ＩＣ媒体の中に含まれるインレットを交換し再度ホログラムシールを貼付け、もとの状態に戻して不正利用される危険性がある。
【先行技術文献】
【特許文献】
【０００５】
【特許文献１】特開平０７−２７６８７０号公報
【発明の概要】
【発明が解決しようとする課題】
【０００６】
本発明は、上記問題を鑑み、高いセキュリティを有し、ＩＣチップとアンテナを有するインレット自体の偽造が困難となるアンテナシート及びそのアンテナシートを用いた非接触ＩＣ媒体とすることを目的とする。
【課題を解決するための手段】
【０００７】
本発明は、カバー材と複数の本紙紙片からなる本紙を有するＩＣ付冊子体であって、該冊子体はアンテナシートを含み、該アンテナシートが本紙紙片の一部であり、かつ、アンテナ基材と、アンテナ基材の一方の面に形成されたアンテナと、該アンテナに接続されたＩＣモジュールとを有し、該アンテナ基材のアンテナが形成されている側の面上に上部外装基材、もう一方の面上に下部外装基材を有してなり、該アンテナ基材の一方の面に同一材料からなる金属薄膜をエッチングによりパターニングされたアンテナと機能層が形成されてなり、該機能層が検証フィルタまたは偏光子であり、該本紙紙片のアンテナシートの下部外装基材側と隣り合う本紙紙片が印刷潜像または偏光潜像を有し、該下部外装基材が、該アンテナ基材に形成されたアンテナの一部と機能層に対応する領域及び該隣り合う本紙紙片が該アンテナ基材に形成された印刷潜像または偏光潜像に対応する領域を除き隠蔽性であることを特徴とするＩＣ付冊子体とする。
【０００８】
また、前記機能層が、検証フィルタであることを特徴とする。
【０００９】
また、上部外装基材が、透明基材と隠蔽性印刷層を有し、隠蔽性印刷層はアンテナ基材に形成されたアンテナの一部と機能層に対応する領域を除き全面に形成されていることを特徴とする。
【００１０】
また、前記機能層が、部分的に隠蔽されていることを特徴とする。
【００１１】
また、前記下部外装基材が、透明基材と隠蔽性印刷層からなり、隠蔽性印刷層は隣り合う本紙紙片が該アンテナ基材に形成された印刷潜像または偏光潜像に対応する領域を除き全面に形成されていることを特徴とする。
【００１２】
また、前記アンテナシートがカバー材に隣り合う本紙紙片の一部であり、前記カバー材のうち、隣り合う本紙紙片のアンテナシートに形成された機能層に対応する領域に開口部を有することを特徴とする。
【００１３】
また、前記機能層が、１文字のサイズが１ｍｍ×１ｍｍ以下マイクロ文字、線幅が１０μｍ〜５００μｍである微細画像、回折構造を有する金属反射層または検証フィルタであることを特徴とする請求項５記載のＩＣ付冊子体とする。
【００１４】
また、前記上部外装基材が、透明基材と隠蔽性印刷層を有し、隠蔽性印刷層はアンテナ基材に形成されたアンテナの一部と機能層に対応する領域を除き全面に形成されていることを特徴とする請求項５または６に記載のＩＣ付冊子体とする。
【００１５】
また、前記機能層が、部分的に隠蔽されていることを特徴とする請求項５〜７のいずれかに記載のＩＣ付冊子体とする。
【００１６】
また、前記アンテナシートが本紙紙片の一部であり、前記機能層が検証フィルタまたは偏光子であり、該本紙紙片のアンテナシートの下部外装基材側と隣り合う本紙紙片が印刷潜像または偏光潜像を有し、該アンテナシートの下部外装基材が、該隣り合う本紙紙片が該アンテナ基材に形成された印刷潜像または偏光潜像に対応する領域を除き隠蔽性であることを特徴とする請求項５〜７のいずれかに記載のＩＣ付冊子体とする。
【００１７】
また、前記下部外装基材が、透明基材と隠蔽性印刷層からなり、隠蔽性印刷層は隣り合う本紙紙片のが該アンテナ基材に形成された印刷潜像または偏光潜像に対応する領域を除き全面に形成されていることを特徴とする請求項９に記載のＩＣ付冊子体とする。
【００１８】
また、前記アンテナシートがカバー材に隣り合う本紙紙片の一部であり、前記カバー材のうち、隣り合う本紙紙片のアンテナシートに形成された機能層に対応する領域に開口部を有することを特徴とする請求項５〜８のいずれかに記載のＩＣ付冊子体とする。
【発明の効果】
【００１９】
本発明によれば、アンテナと機能層が一体不可分に形成されているため、機能層を切り離してアンテナシートを交換することができないため、高いセキュリティを有するアンテナシートとすることができる。
【図面の簡単な説明】
【００２０】
【図１】本発明のアンテナシートの一例を示す概略図である。
【図２】図１アンテナシートの断面の一例を示す断面説明図である。
【図３】本発明のアンテナシートの断面の一例を示す断面説明図である。
【図４】本発明のアンテナシートの断面の一例を示す断面説明図である。
【図５】本発明のアンテナシートの一例を示す概略図である。
【図６】本発明のアンテナシートの断面の一例を示す断面説明図である。
【図７】本発明のアンテナシートと冊子体の一例を示す概略図である。
【図８】本発明の冊子体の断面の一例を示す断面説明図である。
【図９】本発明の冊子体の断面の一例を示す断面説明図である。
【図１０】本発明の冊子体の断面の一例を示す断面説明図である。
【図１１】本発明の冊子体の断面の一例を示す断面説明図である。
【図１２】本発明の冊子体の断面の一例を示す断面説明図である。
【発明を実施するための形態】
【００２１】
本発明は、アンテナ基材に形成したアンテナとアンテナに接続されたＩＣモジュールとを有し、その上下に外装基材を備えたアンテナシートで、アンテナと同一面上にアンテナと同一素材の機能層を設け、上部外装基材又は下部外装基材を機能層とアンテナの一部を含む領域を透過性とし、それ以外の領域を隠蔽性とすることで上側又は下側から視認したときに機能層とアンテナの一部が視認できるようになるものである。
このようにすることでアンテナシートを偽造しようとしても高いセキュリティを有する機能層の偽造が困難であるため、アンテナシート自体の偽造を防ぐことが可能となる。また、アンテナと機能層が一体不可分であるため、アンテナとＩＣのみを交換することもできない。
また、機能層をのこしてアンテナとＩＣのみ取り外してを交換したとしても、機能層とアンテナを視認した時に交換したことがわかるため偽造を防ぐことができるものとなる。
【００２２】
以下図面を元に詳細に説明する。
図１は本発明のアンテナシートの一例を示す概略説明図、図２は本発明の図１のアンテナシートの断面説明図である。
本発明のアンテナシートは、アンテナ基材１と、アンテナ基材１の一方の面上にＩＣモジュール３に接続されたアンテナ２が形成され、同じ面上に機能層４が形成されている。
【００２３】
本発明に用いるアンテナ基材１としては、ポリエチレンテレフタレート（ＰＥＴ）などのポリエステルフィルム基材、ポリイミド基材、アクリル系基材、塩化ビニル系基材を用いることができる。
また、ポリカーボネート等のエンジニアリングプラスチックを用いた硬質基材を用いることもできる。
また紙基材を用いてもよい。
紙基材としては、特に限定するものではないが例えば圧縮固着紙を用いた硬質紙基材を用いることができる。具体的には、天然素材のセルロースを原料とするバルカナイズドファイバーを複数積層したものなどがあげられる。
基材の厚みとしては２５〜１００μｍ程度のものを用いることができる。
【００２４】
アンテナ２はエッチング法、メッキ法、印刷法またはパターン蒸着法により形成することができる。これらの方法であれば、後述する機能層と同時に形成することが可能である。
エッチング法はアンテナ基材上にアルミ、銅などの金属箔を貼り合せ、またはアルミ、銅などの金属薄膜を蒸着法、スパッタリング法などにより形成し、金属箔・金属薄膜上にマスクパターンを形成し、エッチングによりアンテナ形状にパターニングする方法である。
印刷法は、導電性インキを印刷する方法であり、微細パターニングできる方法であれば特に限定するものではないが、スクリーン印刷法を好適に用いることができる。アンテナ基材として紙基材を用いる場合、アンテナの形成法としては印刷法を好適に用いることができる。
メッキ法は、触媒層をパターニング形成し、その後電解または無電解メッキにより、形成する方法である。
パターン蒸着法は、開口部を有するマスクを用い、パターン状に蒸着法又はスパッタリング法等により、アンテナパターンを形成する方法である。
アンテナの巻き数、形状などは、通信周波数、その他の特性に応じて適宜設定することができる。
【００２５】
本発明で用いるＩＣモジュール３は、アンテナとの接続用のバンプを設けたＩＣチップや、ＩＣチップとアンテナとの接続用の接続パッドを有し、ＩＣチップを樹脂で封止したＩＣモジュールなどを用いることができる。
【００２６】
本発明のＩＣモジュールはアンテナ基材のアンテナを形成する面と同じ面に配置しても良いし、アンテナ基材にＩＣモジュールを収容するための凹部または孔部を設けそこに収容させても良い。
【００２７】
ＩＣモジュールとアンテナとの接続はアンテナの終端と前述のバンプまたは接続パッドと溶接や接着剤で貼り合せることにより接続できる。接着剤としては導電性の接着剤を好適に用いることができる
また、配線の設計上アンテナが交差する部分がある場合は、アンテナ基材の反対側の面にジャンパ配線を施し、アンテナと導通させることにより交差させても良いし、交差させる部分に絶縁基材ど導電部材からなる配線を用いて貼り合せて、配線の端部をアンテナと導通させることにより交差させても良い。
【００２８】
本発明の機能層４は主にセキュリティデバイスとして機能するものである。
機能層はアンテナの近傍に設けることが好ましい。また機能層は複数設けてもよい。
なお、機能層は装飾用途で設けてもかまわない。
【００２９】
機能層としては、マイクロ文字や微細画像などを用いることができる。
マイクロ文字としては、１文字のサイズが１ｍｍ×１ｍｍ以下のものを用いることができる。この範囲であれば肉眼で文字を判別することが困難であり、また模倣も困難となる。また、３００μｍ×３００μｍ以下、さらには１００μｍ×１００μｍ以下であるより肉眼での文字の判別が困難となり、作成にも高度な技術を要するため、模倣の困難性が向上し好ましいものとなる。
微細画像としては線幅１０μｍ〜５００μｍ程度の線を主体とする画像を用いることができる。この範囲であれば肉眼で細かい線を正確に判別することが困難でまた、模倣も困難となる。
これらのマイクロ文字、微細画像はアンテナを形成する時に、アンテナと同じ材料を用いて同時にアンテナ基材上に形成することができる。
【００３０】
また、図３に示すように機能層として回折構造を有する金属反射層を用いても良い。回折構造を有することにより、視認した時の反射光が回折光として得られ、ホログラムとしての機能を発現することができる。
形成方法としては、予めアンテナ基材の機能層を形成する部分にエンボス加工などにより回折構造（微細凹凸構造）を形成しておき、アンテナ回路、機能層を同時に同じ材料を用いて形成することができる。
回折構造を形成したアンテナ基材にアンテナと機能層を形成する方法としては印刷法、メッキ法で形成しても良いが、エッチング法またはパターン蒸着法がアンテナ基材に設けた回折構造の追従性に優れているため好ましい。
また、アンテナ層、機能層を同時に同じ材料を用いて形成した後にエンボスなどにより回折構造（微細凹凸構造）を形成してもよい。
機能層を設ける領域と回折構造を設ける領域は異なっていても良い。例えば、アンテナ基材に設けた回折構造領域の中に部分的に機能層をパターン形成しても良いし、パターン形成した機能層を含むように機能層より大きい領域に後からエンボス加工をしても良い。
また、基材に設けた回折構造領域を含むように機能層をパターン形成しても良いし、パターン形成した機能層の中に後から部分的にエンボス加工をしても良い。
エンボス加工としては、版を用いて熱をかけながら押圧することにより加工できる。
【００３１】
本発明では、アンテナ基材のアンテナが形成されている側の面上に上部外装基材５、もう一方の面上に下部外装基材６を有してなり、上部外装基材または下部外装基材の一方がアンテナ基材に形成されたアンテナの一部と機能層に対応する領域を除き隠蔽性であるものを用いる。すなわちアンテナ基材に形成されたアンテナの一部と機能層に対応する領域が可視光域で光線透過性である隠蔽性基材を用いる。
アンテナの一部と機能層に対応する領域以外を隠蔽することでアンテナ、ＩＣを視認することができなくなり、使用しているＩＣモジュールやアンテナ形状などが第三者に認識されることがないものとなる。
またこれらの上部下部外装基材の表面には文字、絵柄層を設けてもよい。文字、絵柄層は印刷法により設けることができる。印刷法としては特に限定するものではなく、オフセット印刷法、グラビア印刷法、スクリーン印刷法、インクジェット印刷法などを用いることができる。
【００３２】
上部外装基材５としては、特に限定するものではないが、例えば隠蔽性基材や透明基材５ａと隠蔽印刷層５ｂを有するものを用いることができる。
透明基材としてはポリエチレンテレフタレート（ＰＥＴ）などのポリエステルフィルム基材、アクリル系基材、ポリカーボネート基材、塩化ビニル系基材を用いることができる。これらの透明基材は単層のものを用いてもよいし、複数層積層いたものを用いてもよい。
隠蔽印刷層としては、下層に来るアンテナやＩＣモジュールを隠蔽できるものであれば特に限定するものはない。例えば、白色や黒色などの有色顔料、染料を有するインキを用いて印刷法により透明基材上に形成することにより設けることができる。
隠蔽性基材としては、着色顔料を含む基材等の隠蔽性であるポリエチレンテレフタレート（ＰＥＴ）などのポリエステルフィルム基材、アクリル系基材、ポリカーボネート基材、塩化ビニル系基材などのプラスチック基材や紙基材などを用いることができる。
隠蔽性基材は図４に示すように複数の基材からなるものを用いてもよい。具体的には透明基材と、部分的に開口部を有する隠蔽性基材を貼り合せたものを用いてもよい。
隠蔽性基材、隠蔽印刷層を用いることでアンテナ、ＩＣチップを遮蔽することができるため、使用しているＩＣモジュールやアンテナ形状などが第三者に不正に知られることがないものとなる。
【００３３】
上部外装基材側にはアンテナ基材に形成されたアンテナの一部と機能層を露出させる場合、透明基材５ａと隠蔽印刷層５ｂを有するものを用いることが好ましい。
このようにする場合、隠蔽印刷層は下層にくる機能層とアンテナの一部が視認できるようにこれらに対応する部分は設けない。
隠蔽印刷層を設けない開口領域は、機能層の領域と隣接するアンテナを含むように形成すればよく、大きさとしては５ｍｍ×５ｍｍ〜３０ｍｍ×３０ｍｍの間であることが好ましい。これより大きいとその上に設ける文字絵柄層のデザインの自由度が少なくなる。これより小さいと、機能層の形成が困難となる。
【００３４】
下部外装基材６としては、特に限定するものではないが、例えば隠蔽性基材や透明基材６ａと隠蔽印刷層６ｂを有するものを用いることができる。
隠蔽性基材、透明基材、隠蔽印刷層は上部外装基材と同様のものを用いることができる。
下部外装基材側にはアンテナ基材に形成されたアンテナの一部と機能層を露出させる場合、透明基材と隠蔽印刷層を有するものを用いることが好ましい。隠蔽印刷層を設けない開口領域は、上部外装基材と同様に形成することができる。
【００３５】
本発明では、機能層が複数ある場合、上部外装基材または下部外装基材の一方は、アンテナ基材に形成されたアンテナの一部と少なくとも１つ以上の機能層に対応する領域を除き隠蔽性であるものを用いることができる。
また、上部外装基材または下部外装基材の一方のみの外装基材が、アンテナ基材に形成されたアンテナの一部と複数の機能層に対応する領域を除き隠蔽性であるものを用いてもよい。
また、上部外装基材がアンテナ基材に形成されたアンテナの一部と少なくとも１つの機能層に対応する領域を除き隠蔽性であるものを用い、下部外装基材がアンテナ基材に形成されたアンテナの一部と別の少なくとも１つの機能層に対応する領域を除き隠蔽性であるものを用いてもよい。図５、６は機能層を２つ有する場合で、上部外装基材は、アンテナ基材に形成されたアンテナの一部と一方の機能層に対応する領域を除き隠蔽性とし、下部外装基材は、アンテナ基材に形成されたアンテナの一部と他方の機能層に対応する領域を除き隠蔽性としたものの一例である。このようにすることでより複雑な構成となるため不正な複製を抑制する効果が向上する。
【００３６】
また、機能層は全て露出させなくてもよく、一部露出させ、部分的には隠蔽性基材、隠蔽印刷層に隠蔽された構成にしてもよい。
【００３７】
本発明のアンテナシートは、ＩＤカードやパスポート、通帳や手帳などのＩＣ付冊子体として用いることができる。
以下にＩＣ付冊子体として用いた例を説明する。
図７はＩＣ付冊子体の一例を示す概略説明図であり、図８〜１２はＩＣ付冊子体の断面の一例を示す断面説明図である。
図７において、ＩＣ付冊子体は、カバー材（表紙）１１と複数の本紙紙片からなる本紙１２を有する。前述のアンテナシートは、本紙紙片の一部に組み込まれている。
アンテナシートを本紙紙片の一部に組み込む方法としては、例えば図８、９に示すように上下外装基材を貼り合せたものを本紙紙片として用い、見開きの片側にはアンテナ基材などを組み込みアンテナシートとすることができる。アンテナシートを組み込んだ本紙紙片８は、カバー側に配置される本紙紙片を最外紙片、カバーから一番遠い位置に配置される本紙紙片を最内紙片、間の本紙紙片を中間紙片としたとき、この最外紙片、最内紙片、中間紙片のいずれに用いてもよい。
【００３８】
カバー材と本紙紙片は糸綴じで綴じてもよいし、本紙紙片を糸綴じで綴じ、最外層をカバー材と貼り合せてもよい。
カバー材としては布クロスや紙クロス、耐水紙などを用いることができる。
本紙紙片としては紙または薄膜フィルムからなるものを用いることができる。
本紙紙片を糸綴じで綴じ、最外層をカバー材と貼り合せる場合、例えば図９に示すような形態において、まず本紙紙片を糸綴じで綴じ、カバー側の本紙紙片９とカバー材１１を接着剤等で貼り合せることができる。
【００３９】
アンテナシートを組み込んだ本紙紙片８は中間紙片に配置する場合、図１０に示すように、見開き状の本紙紙片ではなく、片側の頁分の大きさに糸綴じ用の耳部を設けた紙片を用いてもよい。
また、図１１に示すように、最内紙片にアンテナシートを配置する場合、最内紙片にアンテナシートを組み込んだ本紙紙片８を用い、本紙紙片を糸綴じで綴じた後、見開き状のアンテナシートを組み込んだ本紙紙片８をたたむように貼り合せ、カバー側の本紙紙片とカバー材１１を接着剤等で貼り合せることができる。また図１１の形態においてカバー材と本紙紙片を糸綴じした後に見開き状のアンテナシートを組み込んだ本紙紙片８をたたむように貼り合せてもよい。
【００４０】
また、アンテナシートを本紙紙片の一部として用いる場合、図１２に示すように、アンテナシートを組み込んだ本紙紙片８のアンテナシートの下部外装基材側と隣り合う本紙紙片が印刷潜像または偏光潜像などの潜像４ｃを有している本紙紙片１０となっており、アンテナシートの機能層４ｃをこれらの潜像を顕像化するための検証フィルタとしても用いることができる。
ここで、下部外装基材は、潜像を有する本紙紙片１０の該アンテナ基材に形成された印刷潜像または偏光潜像に対応する領域を除き隠蔽性とする。
このようにすることで、アンテナシートを組み込んだ本紙紙片８と潜像を設けた本紙紙片９が重なった時に潜像が確認できるものとなる。
なお、上部外装基材側に隣り合う本紙紙片に潜像４ｃを有している本紙紙片１０を用いてもよい。その場合は上部外装基材は、潜像を有する本紙紙片１０の該アンテナ基材に形成された印刷潜像または偏光潜像に対応する領域を除き隠蔽性とする。
【００４１】
この場合の下部外装基材または上部外装基材としては、特に限定するものではないが、例えば透明基材６ａと隠蔽印刷層６ｂを有するものを用いることができる。
透明基材としてはポリエチレンテレフタレート（ＰＥＴ）などのポリエステルフィルム基材、アクリル系基材、ポリカーボネート基材、塩化ビニル系基材を用いることができる。
隠蔽印刷層としては、上層に来るアンテナやＩＣモジュールを隠蔽できるものであれば特に限定するものはない。例えば、白色や黒色などの有色顔料、染料を有するインキを用いて印刷法により透明基材上に形成することにより設けることができる。
隠蔽印刷層は上述のように、上層又は下層にくる機能層が視認できるようにこれらに対応する部分は設けない。すなわち、隠蔽印刷層を設けない開口領域は、機能層の領域を含むように形成すればよい。
【００４２】
潜像を印刷潜像とする場合、所定のピッチで設けられた万線または網点で設けた背景画像の中に、ピッチをずらした潜像画像を形成することができる。
この潜像を顕像化するための検証フィルタとしては、前述のピッチに合わせた万線ストライプパターン状の機能層を用いることができる。印刷潜像画像と機能層を重ねることで機能層が背景画像を隠蔽し、ピッチのずれた潜像画像が認識できるようになる。
【００４３】
印刷潜像は、オフセット印刷法、グラビア印刷法、スクリーン印刷法、インクジェット印刷法など公知の印刷手法を用いて形成できる。
検証フィルタとなる機能層は、前述と同様、アンテナ形成時にアンテナと同じ材料で形成することができる。
なお、検証フィルタとなる機能層は、銅やアルミなどの金属で形成される場合、金属光沢があり、顕像化の邪魔になる場合は機能層を黒化処理してもよい。具体的には機能層以外の部分を樹脂などからなる保護マスクで多い、酸処理等を施すことにより、機能層となる金属パターンの表面が黒化し、顕像化した画像を視認しやすくなる。
【００４４】
潜像を偏光潜像とする場合、背景部と潜像部で偏光方向を異なる方向にした偏光層を形成する方法を用いることができる。また、偏光方向のそろった偏光層上に、背景部と潜像部で位相差の異なる位相差層を形成する方法を用いてもよい。
この潜像を顕像化するための検証フィルタとしては、偏光フィルタとして機能する機能層を用いることができる。この場合、背景部と潜像部からの光が異なる方向の偏光光となるため、偏光フィルタを通した時、一方を遮断し、一方を透過するためコントラスト差ができ、潜像画像を認識できるようになる。
このような偏光フィルタとしては、１ｍｍあたり１千本以上のストライプパターンとなる機能層を用いることができる。ストライプパターンの本数は、対象とする光の周波数などで任意に設定できるが可視光域の偏光光を選択的に透過させるのであれば１ｍｍあたり５千本〜１万本程度とすることが好ましい。
【００４５】
液晶潜像は公知の手法を用いて形成することができる。
検証フィルタとなる機能層は、前述と同様、アンテナ形成時にアンテナと同じ材料で形成することができる。
なお、検証フィルタとなる機能層は、銅やアルミなどの金属で形成される場合、金属光沢があり、顕像化の邪魔になる場合は機能層を黒化処理してもよい。具体的には機能層以外の部分を樹脂などからなる保護マスクで多い、酸処理等を施すことにより、機能層となる金属パターンの表面が黒化し、顕像化した画像を視認しやすくなる。
【００４６】
また、本発明のアンテナシートは、カバー材の裏面に直接貼り合せて用いてもよい。このようにする場合、糸綴じした最外紙片をこのカバー材に貼り合せることもできる。
【符号の説明】
【００４７】
１・・・・アンテナ基材
２・・・・アンテナ
３・・・・ＩＣモジュール
４・・・・機能層
４ａ・・・機能層（回折構造）
４ｂ・・・機能層（検証フィルタ）
４ｃ・・・印刷潜像または偏光潜像
５・・・・上部外装基材
５ａ・・・上部外装基材
５ｂ・・・隠蔽印刷層
５ｃ・・・上部外装基材（隠蔽性基材）
６・・・・下部外装基材
６ａ・・・下部外装基材
６ｂ・・・隠蔽印刷層
７・・・・開口部
８・・・・アンテナシートを組み込んだ本紙紙片
９・・・・本紙紙片
１０・・・潜像を有する本紙紙片
１１・・・カバー材
１２・・・本紙
【図１】
0005581687.tif 000002
【図２】
0005581687.tif 000003
【図３】
0005581687.tif 000004
【図４】
0005581687.tif 000005
【図５】
0005581687.tif 000006
【図６】
0005581687.tif 000007
【図１２】
0005581687.tif 000008
【図７】
0005581687.tif 000009
【図８】
0005581687.tif 000010
【図９】
0005581687.tif 000011
【図１０】
0005581687.tif 000012
【図１１】
0005581687.tif 000013